【手続補正書】
【提出日】平成26年5月26日(2014.5.26)
【手続補正１】
【補正対象書類名】明細書
【補正対象項目名】０００８
【補正方法】変更
【補正の内容】
【０００８】
請求項１記載の発明は、患者に血液浄化治療を施すための血液浄化器が取り付けられる複数の血液浄化手段と、該血液浄化手段のそれぞれに透析液、透析液原液、清浄水又は消毒液を供給可能な供給手段と、患者の治療スケジュールを入力及び記憶可能な管理手段とを具備した血液浄化システムにおいて、前記治療スケジュールは、前記血液浄化手段の稼動状況に関わる情報から成るとともに、前記血液浄化手段に対して前記管理手段から前記治療スケジュールを送信し得るものとされ、当該治療スケジュールに基づき前記血液浄化手段が個々に判断して動作し得るよう構成され、且つ、前記血液浄化手段は、送信された治療スケジュールから稼動の有無を個々に判別し、その判別された稼動の有無に応じて電源のオン状態の維持若しくは電力供給の遮断が可能とされ、又は送信された治療スケジュールから稼動の有無及び稼動の程度を個々に判別し、その判別された稼動の有無及び稼動の程度に応じて洗浄又は消毒時間を変更可能とされることを特徴とする。
【手続補正２】
【補正対象書類名】明細書
【補正対象項目名】０００９
【補正方法】変更
【補正の内容】
【０００９】
請求項２記載の発明は、請求項１記載の血液浄化システムにおいて、前記治療スケジュールにおける血液浄化手段の稼動状況に関わる情報は、前記血液浄化手段毎の血液浄化治療の有無若しくは頻度、治療開始時刻及び終了時刻、又は治療時間から成ることを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
請求項３記載の発明は、請求項１又は請求項２記載の血液浄化システムにおいて、前記供給手段は、清浄水及び透析液原液を用いて所定濃度の透析液を作製し得る透析液供給装置を有して成るとともに、前記血液浄化手段は、当該透析液供給装置から供給された透析液を前記血液浄化器に供給する監視装置から成ることを特徴とする。
【手続補正７】
【補正対象書類名】明細書
【補正対象項目名】００１４
【補正方法】変更
【補正の内容】
【００１４】
請求項４記載の発明は、請求項１又は請求項２記載の血液浄化システムにおいて、前記供給手段は、清浄水を作製し得る水処理装置を有して成るとともに、前記血液浄化手段は、前記水処理装置から供給された清浄水を用いて所定濃度の透析液を作製し、前記血液浄化器に供給する個人用透析装置から成ることを特徴とする。
【手続補正８】
【補正対象書類名】明細書
【補正対象項目名】００１５
【補正方法】変更
【補正の内容】
【００１５】
請求項５記載の発明は、請求項１又は請求項２記載の血液浄化システムにおいて、前記供給手段は、清浄水を作製し得る水処理装置、及び該水処理装置で作製された清浄水を用いて所定濃度の透析液原液を作製し得る溶解装置を有して成るとともに、前記血液浄化手段は、当該溶解装置及び水処理装置から供給された透析液原液及び清浄水を用いて所定濃度の透析液を作製し、前記血液浄化器に供給する個人用透析装置から成ることを特徴とする。
【手続補正９】
【補正対象書類名】明細書
【補正対象項目名】００１６
【補正方法】変更
【補正の内容】
【００１６】
請求項６記載の発明は、請求項１〜５の何れか１つに記載の血液浄化システムにおいて、前記管理手段と前記供給手段又は血液浄化手段とは双方向に通信可能とされたことを特徴とする。
【手続補正１０】
【補正対象書類名】明細書
【補正対象項目名】００１７
【補正方法】変更
【補正の内容】
【００１７】
請求項１の発明によれば、血液浄化手段に対して管理手段から治療スケジュールを送信し得るものとされ、当該治療スケジュールに基づき血液浄化手段が個々に判断して動作し得るので、血液浄化手段の稼動状況に応じて当該血液浄化手段の動作を行わせることができる。
また、血液浄化手段は、送信された治療スケジュールから稼動の有無を個々に判別し、その判別された稼動の有無に応じて電源のオン状態の維持若しくは電力供給の遮断が可能とされたので、電力の消費を抑制でき、ランニングコストを低減させることができる。
さらに、送信された治療スケジュールから稼動の有無及び稼動の程度を個々に判別し、その判別された稼動の有無及び稼動の程度に応じて洗浄又は消毒時間を変更可能とされたので、洗浄水又は消毒液の消費を抑制でき、ランニングコストを低減させることができる。
【手続補正１１】
【補正対象書類名】明細書
【補正対象項目名】００１８
【補正方法】変更
【補正の内容】
【００１８】
請求項２の発明によれば、治療スケジュールにおける血液浄化手段の稼動状況に関わる情報は、血液浄化手段毎の血液浄化治療の有無若しくは頻度、治療開始時刻及び終了時刻、又は治療時間から成るので、より精度よく血液浄化手段の稼動状況に応じて当該血液浄化手段又は供給手段の動作を行わせることができる。
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】変更
【補正の内容】
【００２２】
請求項３の発明によれば、供給手段は、清浄水及び透析液原液を用いて所定濃度の透析液を作製し得る透析液供給装置を有して成るとともに、血液浄化手段は、当該透析液供給装置から供給された透析液を血液浄化器に供給する監視装置から成るので、セントラルシステムに適用することができる。
【手続補正１６】
【補正対象書類名】明細書
【補正対象項目名】００２３
【補正方法】変更
【補正の内容】
【００２３】
請求項４の発明によれば、供給手段は、清浄水を作製し得る水処理装置を有して成るとともに、血液浄化手段は、水処理装置から供給された清浄水を用いて所定濃度の透析液を作製し、血液浄化器に供給する個人用透析装置から成るので、当該個人用透析装置を有した血液浄化システムに適用することができる。
【手続補正１７】
【補正対象書類名】明細書
【補正対象項目名】００２４
【補正方法】変更
【補正の内容】
【００２４】
請求項５の発明によれば、供給手段は、清浄水を作製し得る水処理装置、及び該水処理装置で作製された清浄水を用いて所定濃度の透析液原液を作製し得る溶解装置を有して成るとともに、血液浄化手段は、当該溶解装置及び水処理装置から供給された透析液原液及び清浄水を用いて所定濃度の透析液を作製し、血液浄化器に供給する個人用透析装置から成るので、当該個人用透析装置を有した血液浄化システムに適用することができる。
【手続補正１８】
【補正対象書類名】明細書
【補正対象項目名】００２５
【補正方法】変更
【補正の内容】
【００２５】
請求項６の発明によれば、管理手段と供給手段又は血液浄化手段とは双方向に通信可能とされたので、管理手段と供給手段又は血液浄化手段との間で種々情報を通信させることができ、より適切且つ安全な血液浄化治療を行わせることができる。
【手続補正１９】
【補正対象書類名】明細書
【補正対象項目名】００６１
【補正方法】変更
【補正の内容】
【００６１】
治療スケジュールは、血液浄化手段の稼動状況に関わる情報から成るとともに、血液浄化手段に対して管理手段から治療スケジュールを送信し得るものとされ、当該治療スケジュールに基づき血液浄化手段が個々に判断して動作し得るよう構成され、且つ、血液浄化手段は、送信された治療スケジュールから稼動の有無を個々に判別し、その判別された稼動の有無に応じて電源のオン状態の維持若しくは電力供給の遮断が可能とされ、又は送信された治療スケジュールから稼動の有無及び稼動の程度を個々に判別し、その判別された稼動の有無及び稼動の程度に応じて洗浄又は消毒時間を変更可能とされる血液浄化システムであれば、他の機能が付加されたもの等にも適用することができる。
【手続補正２０】
【補正対象書類名】特許請求の範囲
【補正対象項目名】全文
【補正方法】変更
【補正の内容】
【特許請求の範囲】
【請求項１】
患者に血液浄化治療を施すための血液浄化器が取り付けられる複数の血液浄化手段と、
該血液浄化手段のそれぞれに透析液、透析液原液、清浄水又は消毒液を供給可能な供給手段と、
患者の治療スケジュールを入力及び記憶可能な管理手段と、
を具備した血液浄化システムにおいて、
前記治療スケジュールは、前記血液浄化手段の稼動状況に関わる情報から成るとともに、前記血液浄化手段に対して前記管理手段から前記治療スケジュールを送信し得るものとされ、当該治療スケジュールに基づき前記血液浄化手段が個々に判断して動作し得るよう構成され、且つ、前記血液浄化手段は、送信された治療スケジュールから稼動の有無を個々に判別し、その判別された稼動の有無に応じて電源のオン状態の維持若しくは電力供給の遮断が可能とされ、又は送信された治療スケジュールから稼動の有無及び稼動の程度を個々に判別し、その判別された稼動の有無及び稼動の程度に応じて洗浄又は消毒時間を変更可能とされることを特徴とする血液浄化システム。
【請求項２】
前記治療スケジュールにおける血液浄化手段の稼動状況に関わる情報は、前記血液浄化手段毎の血液浄化治療の有無若しくは頻度、治療開始時刻及び終了時刻、又は治療時間から成ることを特徴とする請求項１記載の血液浄化システム。
【請求項３】
前記供給手段は、清浄水及び透析液原液を用いて所定濃度の透析液を作製し得る透析液供給装置を有して成るとともに、前記血液浄化手段は、当該透析液供給装置から供給された透析液を前記血液浄化器に供給する監視装置から成ることを特徴とする請求項１又は請求項２記載の血液浄化システム。
【請求項４】
前記供給手段は、清浄水を作製し得る水処理装置を有して成るとともに、前記血液浄化手段は、前記水処理装置から供給された清浄水を用いて所定濃度の透析液を作製し、前記血液浄化器に供給する個人用透析装置から成ることを特徴とする請求項１又は請求項２記載の血液浄化システム。
【請求項５】
前記供給手段は、清浄水を作製し得る水処理装置、及び該水処理装置で作製された清浄水を用いて所定濃度の透析液原液を作製し得る溶解装置を有して成るとともに、前記血液浄化手段は、当該溶解装置及び水処理装置から供給された透析液原液及び清浄水を用いて所定濃度の透析液を作製し、前記血液浄化器に供給する個人用透析装置から成ることを特徴とする請求項１又は請求項２記載の血液浄化システム。
【請求項６】
前記管理手段と前記供給手段又は血液浄化手段とは双方向に通信可能とされたことを特徴とする請求項１〜５の何れか１つに記載の血液浄化システム。